(57)【要約】【課題】車両による環境汚染を低減し、エネルギーの使用効率を向上させ、車両の航続距離を延ばすこと。【解決手段】本発明は車両用複合エネルギー供給システム及び方法を開示し、前記システムは太陽電池モジュールと、バッテリモジュールと、入力変換モジュールと、ＤＣ−ＡＣインバータと、トラクションモータと、フライホイールモジュールと、制御モジュールとを含み、車両を運転するとき、フライホイールモジュールから車両に駆動電力を供給し、制御モジュールは車両の運転状態、フライホイールモジュールの出力パラメータ、太陽電池モジュール及びバッテリモジュールの残電力量を取得し、出力パラメータに基づいてフライホイールモジュールが供給可能な最大電力を確定し、且つフライホイールモジュールから出力された最大電力が車両に必要な駆動電力より小さいとき、入力変換モジュールが太陽電池モジュール及び／又はバッテリモジュールから出力された直流電力をＤＣ−ＡＣインバータにアクセスするよう制御し、ＤＣ−ＡＣインバータは前記直流電力を交流電力に変換することでトラクションモータを駆動する。
2019512993.tif 000002
【特許請求の範囲】
【請求項１】
車両用複合エネルギー供給システムであって、
太陽電池モジュールと、バッテリモジュールと、入力変換モジュールと、ＤＣ−ＡＣインバータと、トラクションモータと、フライホイールモジュールと、制御モジュールとを含み、前記太陽電池モジュールの出力端子、前記バッテリモジュールの出力端子が前記入力変換モジュールを介して前記ＤＣ−ＡＣインバータの直流端子に接続され、前記ＤＣ−ＡＣインバータの交流端子が前記トラクションモータに接続され、前記制御モジュールがそれぞれ前記入力変換モジュールと前記フライホイールモジュールに通信可能に接続され、
車両を運転するとき、前記フライホイールモジュールから車両に駆動電力を供給し、前記制御モジュールは車両の運転状態、前記フライホイールモジュールの出力パラメータ、太陽電池モジュール及びバッテリモジュールの残電力量を取得し、前記出力パラメータに基づいて前記フライホイールモジュールが供給可能な最大電力を確定し、且つ前記フライホイールモジュールから出力された最大電力が車両に必要な駆動電力より小さいとき、前記入力変換モジュールは、前記太陽電池モジュール及び／又は前記バッテリモジュールから出力された直流電力を前記ＤＣ−ＡＣインバータにアクセスするよう制御し、前記ＤＣ−ＡＣインバータは前記直流電力を交流電力に変換することで、前記トラクションモータを駆動することを特徴とする車両用複合エネルギー供給システム。
【請求項２】
前記制御モジュールは前記太陽電池モジュール及びバッテリモジュールの残電力量に基づいて前記太陽電池モジュール及びバッテリモジュールが供給可能な最大電力を確定し、且つ前記フライホイールモジュールから出力された最大電力が車両に必要な駆動電力より小さいとき、前記太陽電池モジュールが供給可能な最大電力が車両に必要な駆動電力とフライホイールモジュールが供給可能な最大電力との差以上であれば、前記入力変換モジュールは、前記太陽電池モジュールから出力された直流電力を前記ＤＣ−ＡＣインバータにアクセスするよう制御し、そうでなければ、前記入力変換モジュールが前記太陽電池モジュール及び前記バッテリモジュールから出力された直流電力を前記ＤＣ−ＡＣインバータにアクセスするよう制御することを特徴とする請求項１に記載のシステム。
【請求項３】
車両が制動状態又は減速又は下り坂状態にあるとき、前記制御モジュールはモータからフィードバックされた発電エネルギーを利用して前記フライホイールモジュールを優先的に充電し、前記フライホイールモジュールが満充電された後に、さらに前記入力変換モジュールを介して前記バッテリモジュールを充電するよう制御することを特徴とする請求項２に記載のシステム。
【請求項４】
前記太陽電池モジュールの出力端子はさらに、前記入力変換モジュールを介して前記バッテリモジュールに接続されることを特徴とする請求項３に記載のシステム。
【請求項５】
前記フライホイールモジュールはフライホイールと、フライホイールモータと、電力電子変換装置とを含み、
前記電力電子変換装置は、前記トラクションモータに接続され、前記トラクションモータから電気エネルギーを入力することで、前記フライホイールモータが前記フライホイールを連動して回転するよう駆動し、且つ前記トラクションモータにエネルギーが必要となるとき、前記フライホイールが前記フライホイールモータを連動して回転することで発生するエネルギーを前記トラクションモータに必要な電気エネルギーに変換することを特徴とする請求項１から４のいずれか一項に記載のシステム。
【請求項６】
前記電力電子変換装置は双方向インバータであることを特徴とする請求項５に記載のシステム。
【請求項７】
前記システムはさらに、速度センサと、動力出力軸とを含み、
前記動力出力軸は前記トラクションモータから出力される動力を車両の駆動輪に伝達し、前記モータの出力軸は伝動装置を介して前記動力出力軸に接続され、前記フライホイールモジュールは前記動力出力軸に設置され、
前記速度センサは前記フライホイールモジュールの回転速度を取得し、且つ前記回転速度を前記制御モジュールに伝送し、
前記制御モジュールは前記回転速度に基づいて前記フライホイールモジュールが供給可能な最大電力を確定することを特徴とする請求項１から４のいずれか一項に記載のシステム。
【請求項８】
車両用複合エネルギー供給方法であって、前記複合エネルギーは太陽電池と、バッテリと、フライホイールモジュールとを含み、
前記方法において、
車両を運転するとき、前記フライホイールモジュールから車両に駆動電力を供給し、
車両の運転状態、前記フライホイールモジュールの出力パラメータ、太陽電池及びバッテリの残電力量を取得し、
前記出力パラメータに基づいて前記フライホイールモジュールが供給可能な最大電力を確定し、
前記フライホイールモジュールから出力される最大電力が車両に必要な駆動電力より小さいとき、前記太陽電池及び／又はバッテリが車両に駆動電力を供給するよう制御することを特徴とする車両用複合エネルギー供給方法。
【請求項９】
車両が制動状態又は減速又は下り坂状態にあるとき、モータからフィードバックされる発電エネルギーを利用して前記フライホイールモジュールを優先的に充電し、前記フライホイールモジュールが満充電された後に、さらに前記バッテリを充電するよう制御することを特徴とする請求項８に記載の方法。
【請求項１０】
請求項１〜７のいずれか一項に記載の車両用複合エネルギー供給システムを含むことを特徴とする複合エネルギー自動車。
【発明の詳細な説明】
【技術分野】
【０００１】
本発明は、車両エネルギー分野に関し、具体的には、車両用複合エネルギー供給システム及び方法、複合エネルギー自動車に関する。
【背景技術】
【０００２】
新エネルギー車とは、従来とは異なる自動車用の燃料を動力源とし、車両の動力制御と駆動とに関する先端技術を総合して形成された技術原理が先進的で、新しい技術と、新しい構造とを備えた自動車を指す。新エネルギー車は、ハイブリッド電気自動車、純電気自動車（ソーラー自動車を含む）、燃料電池電気自動車、その他の新エネルギー（コンデンサ、フライホイールなどの高性能なエネルギー貯蔵装置）車など４つの種類を含む。
【０００３】
現在、電気自動車の普及を制限している要因の１つはその航続距離が短いことであり、回生制動は、エネルギーを節約し、電気自動車の航続距離を延ばすキーとなり、顕著な経済的価値及び社会的利益を有する。また、太陽エネルギーは最もクリーンなエネルギーの１つであり、化石燃料の減少に伴い、太陽エネルギーは既に人々が利用できるエネルギーの重要な部分となり、継続的に開発され、自動車の動力源として太陽エネルギーを利用すると、環境を汚染せず、従来の熱機関で駆動される自動車と比べ、真のゼロエミッションを実現する。従って、これらのエネルギーをどのように合理的で、効率的に使用するかは、業界で広く注目される課題となっている。
【発明の概要】
【発明が解決しようとする課題】
【０００４】
車両による環境汚染を低減し、エネルギーの使用効率を向上させ、バッテリの耐用年数を延ばし、車両の航続距離を延ばすために、本発明の一態様は車両用複合エネルギー供給システム及び方法を提供する。
【０００５】
自動車の総排出量を減らし、エネルギーを節約し、環境を汚染せず、車両の航続距離を延ばすために、本発明の他の態様は、複合エネルギー自動車を提供する。
【課題を解決するための手段】
【０００６】
そのため、本発明は以下の技術案を提供する。
車両用複合エネルギー供給システムは、太陽電池モジュールと、バッテリモジュールと、入力変換モジュールと、ＤＣ−ＡＣインバータと、トラクションモータと、フライホイールモジュールと、制御モジュールとを含む。前記太陽電池モジュールの出力端子、前記バッテリモジュールの出力端子は前記入力変換モジュールを介して前記ＤＣ−ＡＣインバータの直流端子に接続され、前記ＤＣ−ＡＣインバータの交流端子は前記トラクションモータに接続され、前記制御モジュールはそれぞれ前記入力変換モジュールと前記フライホイールモジュールに通信可能に接続される。
車両を運転するとき、前記フライホイールモジュールから車両に駆動電力を供給し、前記制御モジュールは車両の運転状態、前記フライホイールモジュールの出力パラメータ、太陽電池モジュール及びバッテリモジュールの残電力量を取得し、前記出力パラメータに基づいて前記フライホイールモジュールが供給可能な最大電力を確定し、且つ前記フライホイールモジュールから出力された最大電力が車両に必要な駆動電力より小さいとき、前記入力変換モジュールは、前記太陽電池モジュール及び／又は前記バッテリモジュールから出力された直流電力を前記ＤＣ−ＡＣインバータにアクセスするよう制御し、前記ＤＣ−ＡＣインバータは前記直流電力を交流電力に変換することで、前記トラクションモータを駆動する。
【０００７】
好ましくは、前記制御モジュールは前記太陽電池モジュール及びバッテリモジュールの残電力量に基づいて前記太陽電池モジュール及びバッテリモジュールが供給可能な最大電力を確定し、且つ前記フライホイールモジュールから出力された最大電力が車両に必要な駆動電力より小さいとき、前記太陽電池モジュールが供給可能な最大電力が車両に必要な駆動電力とフライホイールモジュールが供給可能な最大電力との差以上であれば、前記入力変換モジュールは、前記太陽電池モジュールから出力された直流電力を前記ＤＣ−ＡＣインバータにアクセスするよう制御し、そうでなければ、前記入力変換モジュールが前記太陽電池モジュール及び前記バッテリモジュールから出力された直流電力を前記ＤＣ−ＡＣインバータにアクセスするよう制御する。
【０００８】
好ましくは、車両が制動状態又は減速又は下り坂状態にあるとき、前記制御モジュールはモータからフィードバックされた発電エネルギーを利用して前記フライホイールモジュールを優先的に充電し、前記フライホイールモジュールが満充電された後に、さらに前記入力変換モジュールを介して前記バッテリモジュールを充電するよう制御する。
【０００９】
好ましくは、前記太陽電池モジュールの出力端子はさらに、前記入力変換モジュールを介して前記バッテリモジュールに接続される。
【００１０】
好ましくは、前記フライホイールモジュールは、フライホイールと、フライホイールモータと、電力電子変換装置とを含む。
前記電力電子変換装置は、前記トラクションモータに接続され、前記トラクションモータから電気エネルギーを入力することで、前記フライホイールモータが前記フライホイールを連動して回転するよう駆動し、且つ前記トラクションモータにエネルギーが必要となるとき、前記フライホイールが前記フライホイールモータを連動して回転することで発生するエネルギーを前記トラクションモータに必要な電気エネルギーに変換する。
【００１１】
好ましくは、前記電力電子変換装置は双方向インバータである。
【００１２】
好ましくは、前記システムはさらに、速度センサと、動力出力軸とを含む。
前記動力出力軸は前記トラクションモータから出力される動力を車両の駆動輪に伝達し、前記モータの出力軸は伝動装置を介して前記動力出力軸に接続され、前記フライホイールモジュールは前記動力出力軸に設置される。
前記速度センサは、前記フライホイールモジュールの回転速度を取得し、且つ前記回転速度を前記制御モジュールに伝送する。
前記制御モジュールは、前記回転速度に基づいて前記フライホイールモジュールが供給可能な最大電力を確定する。
【００１３】
車両用複合エネルギー供給方法であって、前記複合エネルギーは太陽電池と、バッテリと、フライホイールモジュールとを含む。
前記方法は下記の過程を含む。
車両を運転するとき、前記フライホイールモジュールから車両に駆動電力を供給し、
車両の運転状態、前記フライホイールモジュールの出力パラメータ、太陽電池及びバッテリの残電力量を取得し、
前記出力パラメータに基づいて前記フライホイールモジュールが供給可能な最大電力を確定し、
前記フライホイールモジュールから出力される最大電力が車両に必要な駆動電力より小さいとき、前記太陽電池及び／又はバッテリが車両に駆動電力を供給するよう制御する。
【００１４】
好ましくは、車両が制動状態又は減速又は下り坂状態にあるとき、モータからフィードバックされる発電エネルギーを利用して前記フライホイールモジュールを優先的に充電し、前記フライホイールモジュールが満充電された後に、さらに前記バッテリを充電するよう制御する。
【００１５】
複合エネルギー自動車は、前述した車両用複合エネルギー供給システムを含む。
【発明の効果】
【００１６】
本発明の実施例による車両用複合エネルギー供給システム及び方法は、多種のエネルギーを総合的に利用して車両を駆動し、具体的には、フライホイールエネルギー貯蔵素子の利点を利用し、車両を運転するとき、フライホイールモジュールから車両に駆動電力を供給し、前記フライホイールモジュールから出力される最大電力が車両に必要な駆動電力より小さいとき、太陽電池及び／又はバッテリを補充エネルギーとし、それにより車両の有害物質の排出を効果的に低減し、車両の航続距離を延ばすことができる。また、フライホイールエネルギー貯蔵素子は電力出力が高く、エネルギー変換効率が高く、過充放電の問題がないなどの利点を有するため、自動車の起動、加速、坂登り時の大電力出力要件がうまく満たされ、自動車の動力性及び経済性を改善すると共に、バッテリの充放電電流を緩和し、バッテリの耐用年数を延ばすことができる。
【００１７】
前記車両用複合エネルギー供給システムを備える複合エネルギー自動車は、自動車の総排出量を顕著に減らし、エネルギーを節約し、自動車の航続距離を延ばすことができる。
【図面の簡単な説明】
【００１８】
【図１】本発明における車両用複合エネルギー供給システムの原理ブロック図である。
【図２】本発明における車両用複合エネルギー供給システムの具体的な構造概略図である。
【図３】本発明における車両用複合エネルギー供給システムの他の具体的な構造概略図である。
【発明を実施するための形態】
【００１９】
本願の実施例又は従来技術の技術案についてより明確に説明するために、以下、実施例に対して必要な図面を用いて簡潔に説明する。当然ながら、以下に記載する図面は本発明に記載の実施例の一部であり、当業者はこれらの図面に基づき他の図面を想到し得る。
【００２０】
当業者が本発明の実施例の解決手段をよく理解するように、以下に図面及び実施形態に基づいて本発明の実施例についてさらに詳細に説明する。
【００２１】
フライホイールは最新式のエネルギー貯蔵素子として、その高効率、省エネルギー、長耐用年数及び環境汚染防止などの利点を有するため、人々に注目されている。他のエネルギー貯蔵技術と比べ、フライホイールは、電池エネルギー貯蔵素子として高い比エネルギー、高比出力、高効率、無汚染、広い適用範囲、無ノイズ、長い耐用年数を有し、メンテナンスしやすく、連続的な作業を実現でき、モジュール化設計製造が可能であるなどの利点を備え、瞬間的な高電力と頻繁に充放電する場合に非常に適している。また、太陽エネルギーを動力として用いると環境を汚染せず、且つ太陽エネルギーは「幾ら取っても取り尽くせず、幾ら使っても使い尽くせない」のエネルギーである。
【００２２】
従って、本発明は、車両用複合エネルギー供給システム及び方法を提供する。フライホイールエネルギー貯蔵素子は、優先的に選択されるエネルギーとして車両に駆動力を供給する。また、自動車上に取り付けられた太陽電池は、自動車が高速で走行し、その位置が絶えず変化するため、その出力電力は不安定性を有する。従って、バッテリは、太陽エネルギーの補充エネルギーとして、多種のエネルギーを総合的に利用して車両に駆動力を供給する。フライホイールエネルギー貯蔵素子が供給可能な最大電力が車両に必要な駆動電力を満たすことができない場合、不足する分は太陽電池及びバッテリにより補充され、それにより車両の有害物質の排出を大幅に低減し、車両の航続距離を延ばす。
【００２３】
図１は、本発明における車両用複合エネルギー供給システムの原理ブロック図である。
【００２４】
前記システムは、太陽電池モジュール１１と、バッテリモジュール１２と、入力変換モジュール１４と、ＤＣ−ＡＣインバータ１５と、トラクションモータ１０と、フライホイールモジュール１３と、制御モジュール１６とを含む。ここで、太陽電池モジュール１１の出力端子、バッテリモジュール１２の出力端子は、入力変換モジュール１４を介してＤＣ−ＡＣインバータ１５の直流端子に接続され、ＤＣ−ＡＣインバータ１５の交流端子は、トラクションモータ１０に接続される。制御モジュール１６は、入力変換モジュール１４とフライホイールモジュール１３にそれぞれ通信可能に接続される。
【００２５】
上記太陽電池モジュール１１、バッテリモジュール１２は、トラクションモータ１０に電気エネルギーを出力し、それぞれの出力は入力変換モジュール１４により制御される。
【００２６】
実際の応用において、フライホイールモジュール１３は、異なる形式の出力形態を用いてもよく、例えば、トラクションモータ１０に電気エネルギーを出力し、又は車両の駆動輪に機械的エネルギーを直接出力する。当然ながら、異なる形式で出力するフライホイールモジュール１３の具体的な構造も異なり、後の例示にて説明する。
【００２７】
前記システムにおいて、車両を運転するとき、フライホイールモジュール１３から車両に駆動電力を供給する。制御モジュール１６は、車両の運転状態、フライホイールモジュール１３の出力パラメータ（例えば、電流、電圧、回転速度など）、太陽電池モジュール１１及びバッテリモジュール１２の残電力量を取得し、フライホイールモジュール１３の出力パラメータに基づいてフライホイールモジュール１３が供給可能な最大電力を確定する。また、フライホイールモジュール１３から出力された最大電力が車両に必要な駆動電力より小さいとき、入力変換モジュール１４が太陽電池モジュール１１及び／又はバッテリモジュール１２から出力された直流電力をＤＣ−ＡＣインバータ１５にアクセスするよう制御する。ＤＣ−ＡＣインバータ１５は前記直流電力を交流電力に変換し、トラクションモータ１０を駆動する。
【００２８】
前記システムにおいて、制御モジュール１６は、太陽電池モジュール１１及びバッテリモジュール１２の残電力量に基づいて太陽電池モジュール１１及びバッテリモジュール１２が供給可能な最大電力を確定することができる。太陽電池モジュール１１及びバッテリモジュール１２の残電力量は、いずれもそれぞれの電力量管理システムによりリアルタイムに統計し、且つＣＡＮバスを介してこれらの情報を制御モジュール１６にリアルタイムにフィードバックする。
【００２９】
フライホイールモジュール１３から出力された最大電力が車両に必要な駆動電力より小さいとき、太陽電池モジュール１１が供給可能な最大電力が車両に必要な駆動電力とフライホイールモジュール１３が供給可能な最大電力との差以上であれば、制御モジュール１６は、入力変換モジュール１４が太陽電池モジュール１１から出力された直流電力をＤＣ−ＡＣインバータ１５にアクセスするよう制御する。そうでなければ、入力変換モジュール１４が太陽電池モジュール１１及びバッテリモジュール１２から出力された直流電力をＤＣ−ＡＣインバータ１５にアクセスするよう制御する。当然ながら、バッテリモジュール１２が供給可能な最大電力が車両に必要な駆動電力とフライホイールモジュール１３が供給可能な最大電力との差以上であれば、制御モジュール１６は、入力変換モジュール１４がバッテリモジュール１２から出力される直流電力のみをＤＣ−ＡＣインバータ１５にアクセスするよう制御してもよく、本発明の実施例に限定されるものではない。
【００３０】
本発明の実施例における車両用複合エネルギー供給システムは、多種のエネルギーを総合的に利用して車両を駆動する。具体的には、フライホイールエネルギー貯蔵素子の利点を利用し、車両を運転するとき、フライホイールモジュールから車両に駆動電力を供給し、前記フライホイールモジュールから出力される最大電力が車両に必要な駆動電力より小さいとき、太陽電池及び／又はバッテリを補充エネルギーとし、これにより車両の有害物質の排出を効果的に低減し、車両の航続距離を延ばすことができる。
【００３１】
また、本発明の実施例における車両用複合エネルギー供給システムは、さらに車両の異なる運転状態の特徴に基づいて、そのエネルギー供給を合理的に配置し、異なるエネルギーのそれぞれの利点を最大限に発揮させる。例えば、車両の起動、加速、坂登り時に、瞬時に大電流を必要とし、このとき、フライホイールモジュール１３、太陽電池モジュール１１及びバッテリモジュール１２により共に駆動エネルギーを供給する。定速走行する時は、長時間放電の要件を考慮し、太陽電池モジュール１１とバッテリモジュール１２により共に駆動エネルギーを供給してもよく、フライホイールモジュール１３はエネルギーを放出してもよく、放出しなくてもよい。フライホイールエネルギー貯蔵素子は電力出力が高く、エネルギー変換効率が高く、過充放電の問題がないなどの利点を有するため、自動車の起動、加速、坂登り時の大電力出力要件をうまく満たし、自動車の動力性及び経済性を改善すると共に、バッテリの充放電電流を緩和し、バッテリの耐用年数を延ばすことができる。
【００３２】
さらに、車両が制動状態又は減速又は下り坂状態にある場合、このとき、トラクションモータは回生制動状態にあり、制御モジュール１６はモータからフィードバックされる発電エネルギーを利用してフライホイールモジュール１３を優先的に充電し、フライホイールモジュール１３が満充電された後に、さらに入力変換モジュール１４を介してバッテリモジュール１２を充電するよう制御する。
【００３３】
なお、充電過程において、制御モジュール１６はフライホイールモジュール１３の出力パラメータをリアルタイムに監視する必要があり、前記出力パラメータに基づいてフライホイールモジュール１３が満充電されたか否か（例えば、フライホイールモジュール１３の電力量が上限値に達したか否か、又はフライホイールモジュール１３の回転速度が最大に達したか否か）を確定する。制動時間が比較的長く、フライホイールモジュール１３が満充電されたときに依然として制動を停止しない場合、このとき、制御モジュール１６は入力変換モジュール１４をトリガしてバッテリモジュール１２の入力端子をオンし、バッテリモジュール１２が余分な制動エネルギーの吸収を続けるようにし、バッテリモジュール１２の電力量も許可された上限値に達した後、機械的な制動モードを起動する。機械的な制動モードの起動は、本発明のシステムにおける制御モジュール１６によりトリガされてもよく、車両における他の制御モジュールによりトリガされてもよく、又は前記他の制御モジュール及び本システムにおける制御モジュール１６を組み合わせてトリガされてもよい。これに対して、本発明の実施例では限定しない。
【００３４】
実際の応用において、上記バッテリモジュール１２は外付けの充電器により充電されてもよい。例えば、トラクションモータが運転を停止し、同時にバッテリモジュールの電力量が不足で充電する必要があるとき、外付けの充電電源によりそれを充電する。また、本発明のシステムの他の実施例において、太陽電池モジュール１１の出力端子は入力変換モジュール１４を介してバッテリモジュール１２に接続され、設定条件が満たされる場合、太陽電池モジュール１１によりバッテリモジュール１２を充電する。例えば、日照が十分である環境下で、トラクションモータは運転を停止する又は定速に運転する状態になり、太陽電池の余分なエネルギーはバッテリモジュール１２に補充される。当然ながら、バッテリモジュール１２に外付けの充電電源が接続される場合、バッテリモジュールは外付けの充電電源及び太陽電池モジュール１１により充電されてもよい。
【００３５】
なお、実際の応用において、車両の運転状態及び各エネルギー出力モジュールの電力監視のすべては、制御モジュール１６により完了してもよく、これらの機能を車両の異なる制御モジュールに配分して完了してもよい。例えば、全体車両のコントローラにより車両の運転状態を監視し、電池管理モジュールにより各エネルギー出力モジュールの電力を監視する。全体車両のコントローラ、電池管理モジュールは、それぞれＣＡＮバスを介して制御モジュール１６と通信し、それにより制御モジュール１６は、ＣＡＮバスメッセージにより対応する情報を取得する。
【００３６】
上記太陽電池モジュール１１は、太陽電池及び太陽電池電圧変換回路（図示せず）を含んでもよく、前記太陽電池の出力端子は前記太陽電池電圧変換回路の入力端子に接続される。前記太陽電池電圧変換回路の出力端子を前記太陽電池モジュールの出力端子とし、すなわち、前記太陽電池電圧変換回路は太陽電池１１と出力制御モジュール１４との間に直列接続される。ただし、前記太陽電池は自動車の頂部又は周囲に設けられ、太陽光をより良好に吸収し、太陽エネルギーの利用率を向上させることができる。
【００３７】
上記バッテリモジュール１２は、バッテリ及びバッテリ電圧変換回路（図示せず）を含んでもよく、前記バッテリの出力端子は前記バッテリ電圧変換回路の入力端子に接続される。前記バッテリ電圧変換回路の出力端子を前記バッテリモジュールの出力端子とし、すなわち、前記太陽電池電圧変換回路は太陽電池１１と出力制御モジュール１４との間に直列接続される。
【００３８】
前記太陽電池電圧変換回路は一方向のＤＣ−ＤＣコンバータであり、バッテリ電圧変換回路は双方向のＤＣ−ＤＣコンバータである。
【００３９】
また、説明すべきものとして、実際の応用において、制御モジュール１６は、バッテリ及び太陽電池の残電力量に基づいてその出力電力の大きさを制御でき、例えば、その残電力量が２０％より高いとき、フル電力で出力できる。残電力量が２０％より低いとき、最大電力の５０％に電力を低減して出力する。残電力量が１０％より低いとき、出力を停止する。具体的な出力電力の制御は従来のいくつかの技術を採用して実現してもよい。これに対して、本発明の実施例では限定しない。
【００４０】
上述のように、実際の応用において、フライホイールモジュール１３は異なる形式の出力形態を用いてもよく、これに対して以下で例示して説明する。
【００４１】
図２は、本発明における車両用複合エネルギー供給システムの具体的な構造概略図である。
【００４２】
前記実施例において、フライホイールモジュール１１は、フライホイール１３１と、フライホイールモータ１３２と、電力電子変換装置１３３とを含む。ただし、電力電子変換装置１３３は、トラクションモータ１０に接続され、トラクションモータ１０から電気エネルギーを入力することで、フライホイールモータ１３２がフライホイール１３１を連動して回転するよう駆動し、且つトラクションモータ１０にエネルギーが必要となるとき、フライホイール１３１がフライホイールモータ１３２を連動して回転することで発生したエネルギーをトラクションモータ１０に必要な電気エネルギーに変換するために用いられる。前記電力電子変換装置１３３は双方向のインバータである。
【００４３】
図３は、本発明における車両用複合エネルギー供給システムの他の具体的な構造概略図である。
【００４４】
前記実施例では、前記システムはさらに、動力出力軸２１を含み、動力出力軸２１は、トラクションモータ１０から出力される動力を車両の駆動輪２２に伝達するために用いられ、フライホイールモジュール１３は、動力出力軸２１に設置される。具体的には、トラクションモータ１０の出力軸は、伝動装置を介して動力出力軸２１に接続されてもよく、駆動輪２２は、前輪（すなわち前駆動）であってもよく、また後輪（すなわち後駆動）であってもよい。フライホイールモジュール１３は、動力出力軸２１により回転を駆動されるフライホイールであってもよい。
【００４５】
また、前記実施例において、前記システムはさらに、速度センサ２３を含み、前記速度センサ２３は、フライホイールモジュール１３の回転速度を取得し、且つ前記回転速度を制御モジュール１６に伝送するために用いられる。これにより、制御モジュール１６は、前記回転速度に基づいてフライホイールモジュール１３が供給可能な最大電力を確定する。前記速度センサ２３は、具体的にフライホイールモジュール１３のフレームに設置されてもよい。
【００４６】
本発明の車両用複合エネルギー供給システムにおいて、フライホイールエネルギー貯蔵素子は電気自動車の分野に適用され、且つ太陽エネルギー及びバッテリにより補充され、車両の運転状態に基づいてエネルギーの出力を合理的に配分し、それにより車両の有害物質の排出を効果的に低減し、車両の航続距離を延ばし、バッテリの充放電電流を緩和し、バッテリの耐用年数を延ばすことができる。
【００４７】
本発明の実施例における車両用複合エネルギー供給システムは、様々な異なるタイプの車両に適用でき、前記車両用複合エネルギー供給システムを備える複合エネルギー自動車は、自動車の総排出量を顕著に減らし、エネルギーを節約し、自動車の航続距離を延ばすことができる。
【００４８】
これにより、本発明はさらに、車両用複合エネルギー供給方法を提供し、前記複合エネルギーは太陽電池と、バッテリと、フライホイールモジュールとを含む。
前記方法は下記の過程を含む。
車両を運転するとき、前記フライホイールモジュールから車両に駆動電力を供給し、
車両の運転状態、前記フライホイールモジュールの出力パラメータ、太陽電池及びバッテリの残電力量を取得し、
前記出力パラメータに基づいて前記フライホイールモジュールが供給可能な最大電力を確定する。
前記フライホイールモジュールから出力される最大電力が車両に必要な駆動電力より小さいとき、前記太陽電池及び／又はバッテリが車両に駆動電力を供給するよう制御する。例えば、太陽電池が供給可能な最大電力が車両に必要な駆動電力とフライホイールモジュールが供給可能な最大電力との差以上であれば、太陽電池が車両に駆動電力を供給するよう制御し、そうでなければ、太陽電池及びバッテリが共に車両に駆動電力を供給するよう制御する。
【００４９】
また、車両が制動状態又は減速又は下り坂状態にあるとき、モータからフィードバックされる発電エネルギーを利用して前記フライホイールモジュールを優先的に充電し、前記フライホイールモジュールが満充電された後に、さらに前記バッテリを充電するよう制御する。
【００５０】
本発明の実施例における車両用複合エネルギー供給方法は、多種のエネルギーを総合的に利用して車両を駆動する。具体的には、フライホイールエネルギー貯蔵素子の利点を利用し、車両を運転するとき、フライホイールモジュールから車両に駆動電力を供給し、前記フライホイールモジュールから出力される最大電力が車両に必要な駆動電力より小さいとき、太陽電池及び／又はバッテリを補充エネルギーとし、それにより車両の有害物質の排出を効果的に低減し、車両の航続距離を延ばすことができる。また、フライホイールエネルギー貯蔵素子は電力出力が高く、エネルギー変換効率が高く、過充放電の問題がないなどの利点を有する。よって、自動車の起動、加速、坂登り時の大電力出力要件をうまく満たし、自動車の動力性及び経済性を改善すると共に、バッテリの充放電電流を緩和し、バッテリの耐用年数を延ばすことができる。
【００５１】
以上、本発明の実施例について詳細に説明した。本明細書では具体的な実施の形態を用いて本発明について説明しており、以上の実施例の説明は本発明の方法及びシステムの理解を助けるためのものである。同時に、当業者は、本発明の思想に基づき、具体的な実施の形態及び適用範囲において変更することができる。上述のように、本明細書の内容は本発明を制限するものとして理解されてはならない。
【図１】
2019512993.tif 000003
【図２】
2019512993.tif 000004
【図３】
2019512993.tif 000005
【国際調査報告】
2019512993.tif 000006
2019512993.tif 000007
2019512993.tif 000008
2019512993.tif 000009